(57)【特許請求の範囲】
【請求項１】
外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を有し、
前記携帯端末は、前記インタフェースを介した前記表示装置との接続時、自装置がキー操作ロックに設定されているか否かを判定し、前記キー操作ロックに設定されている場合は前記表示装置へ前記キー操作ロックへの設定を指示し、
前記表示装置は、前記携帯端末からの指示にしたがって自装置を前記キー操作ロックに設定する設定システム。
【請求項２】
前記表示装置は、
前記携帯端末を挿抜可能に収納する収納部を備え、前記インタフェースが前記収納部に設けられた請求項１記載の設定システム。
【請求項３】
外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を前記インタフェースを介して接続するとき、前記表示装置の状態を設定するための設定方法であって、
前記携帯端末が、
自装置がキー操作ロックに設定されているか否かを判定し、前記キー操作ロックに設定されている場合は前記表示装置へ前記キー操作ロックへの設定を指示し、
前記表示装置が、
前記携帯端末からの指示にしたがって自装置を前記キー操作ロックに設定する設定方法。
【発明の詳細な説明】
【技術分野】
【０００１】
本発明は携帯端末と接続する機器の状態を設定するための設定システム及び方法に関する。
【背景技術】
【０００２】
近年、電話機能と情報処理機能とを備えた、いわゆるスマートフォンと呼ばれる高機能な携帯端末が普及してきている。スマートフォンは、小型、軽量であり、携帯し易い利点があるが、例えばテレビジョン放送や動画像を視聴する、あるいは相手の顔を見ながらハンズフリーで通話するとき等、より大きい画面を利用したい場合がある。
【０００３】
その場合、スマートフォンを、該スマートフォンよりも画面サイズが大きい、例えば据え置き型、ノート型、タブレット型等のパーソナルコンピュータ、あるいはテレビジョン受像機と接続し、スマートフォンの表示画像をそれらの外部装置の画面に表示させると共に、該外部装置に音声を再生させることが考えられる。
【０００４】
ところで、例えばスマートフォンと上記タブレット型のパーソナルコンピュータ（以下、タブレット端末と称す）とを接続する場合、スマートフォンの設定とタブレット端末の設定とは必ずしも一致しているとは限らず、また構成等の差異により一致させる必要がない機能もある。
【０００５】
しかしながら、例えばキー操作ロック等のセキュリティ機能、あるいはマナーモード（バイブレーションモード、サイレントモードと呼ばれることもある）等の周囲環境に配慮して設定する機能等は、例えばスマートフォンに設定されていれば、タブレット端末にも反映させることが好ましい。これらの設定を個別に行う構成では、ユーザはスマートフォンと同様の設定操作をタブレット端末にも実施することになるため、操作が煩雑になる。
【０００６】
なお、任意の装置の設定内容を他の装置へ反映させることは、例えば特許文献１〜３にも記載されている。
【０００７】
特許文献１には、プリンタのトナーカートリッジを取り出して他のプリンタに装着する場合に、今まで使用していたプリンタの各種設定値を、該トナーカートリッジを装着した他のプリンタへ引き継ぐことが記載されている。
【０００８】
特許文献２には、仮想アプライアンスサーバ上における仮想マシンのオペレーティングシステム及びアプリケーションの環境設定やユーザ設定を、新たに構築する他の仮想マシンに引き継ぐことが記載されている。
【０００９】
また、特許文献３には、２つのコンピュータを単独または協働で動作させることが可能なハイブリッドコンピュータシステムにおいて、単独で動作していた２つのコンピュータを結合した場合に、マスターとなる一方のコンピュータが他方のコンピュータのリソースを引き継ぐことが記載されている。
【先行技術文献】
【特許文献】
【００１０】
【特許文献１】特開２００４−０４２６２３号公報
【特許文献２】特開２０１０−２２５１０９号公報
【特許文献３】特開２０１０−２７７５９２号公報
【発明の概要】
【発明が解決しようとする課題】
【００１１】
上述した特許文献１〜３は、プリンタ、仮想マシン、コンピュータのように、同じ種類の機器（ソフトウェアを含む）どうしで設定値を引き継ぐことは示している。しかしながら、上述したスマートフォンとタブレット端末のように異なる機器どうしで設定内容を引き継ぐことは何も示していない。
【００１２】
本発明は上述したような背景技術が有する問題点を解決するためになされたものであり、ユーザによる煩雑な設定操作を低減してユーザビリティを向上させることができる設定システム及び方法を提供することを目的とする。
【課題を解決するための手段】
【００１３】
上記目的を達成するため本発明の設定システムは、外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を有し、
前記携帯端末は、前記インタフェースを介した前記表示装置との接続時、自装置がキー操作ロックに設定されているか否かを判定し、前記キー操作ロックに設定されている場合は前記表示装置へ前記キー操作ロックへの設定を指示し、
前記表示装置は、前記携帯端末からの指示にしたがって自装置を前記キー操作ロックに設定する構成である。
【００１５】
一方、本発明の設定方法は、外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を前記インタフェースを介して接続するとき、前記表示装置の状態を設定するための設定方法であって、
前記携帯端末が、
自装置がキー操作ロックに設定されているか否かを判定し、前記キー操作ロックに設定されている場合は前記表示装置へ前記キー操作ロックへの設定を指示し、
前記表示装置が、
前記携帯端末からの指示にしたがって自装置を前記キー操作ロックに設定する方法である。
【発明の効果】
【００１７】
本発明によれば、ユーザによる煩雑な設定操作が低減してユーザビリティが向上する。
【図面の簡単な説明】
【００１８】
【図１】本発明の設定システムの一構成例を示すブロック図である。
【図２（ａ）】図１に示した携帯端末の一構成例を示すブロック図である。
【図２（ｂ）】図１に示した表示装置の一構成例を示すブロック図である。
【図３】図１に示した設定システムの処理手順の一例を示すフローチャートである。
【図４（ａ）】図１に示した設定システムの処理手順の他の例を示すフローチャートである。
【図４（ｂ）】図１に示した設定システムの処理手順の他の例を示すフローチャートである。
【図５】図１に示した設定システムの他の構成例を示す平面図である。
【発明を実施するための形態】
【００１９】
次に本発明について図面を用いて説明する。
【００２０】
図１は、本発明の設定システムの一構成例を示すブロック図である。
【００２１】
図１に示すように、本発明の設定システムは、携帯端末１００と、該携帯端末１００よりも画面サイズが大きい表示部及びタッチパネルや入力キー等の入力部を備えた表示装置２００とを有する。携帯端末１００と表示装置２００とは、ケーブル等により携帯端末１００と表示装置２００間で各種のデータが送受信可能に接続される。
【００２２】
携帯端末１００としては、例えば周知の電話機の機能とＰＤＡ（Personal Data AssistanceまたはPersonal Digital Assistants：個人向け携帯型情報通信機器）の機能をそれぞれ備えた、スマートフォンと呼ばれる携帯電話機がある。
【００２３】
表示装置２００としては、例えばノート型、据え置き型、タブレット型等のパーソナルコンピュータ、あるいはリモートコントローラ等を用いて文字、記号、情報等の入力が可能なテレビジョン受像機等がある。
【００２４】
携帯端末１００と表示装置２００とは、例えば映像や音声を送受信するためのＨＤＭＩ（High-Definition Multimedia Interface）や外部機器とデータを送受信するためのＵＳＢ（Universal Serial Bus）等の周知のインタフェース方式、あるいは専用のインタフェース回路を介して接続される。
【００２５】
図２（ａ）は、図１に示した携帯端末の一構成例を示すブロック図である。
【００２６】
図２（ａ）に示すように、本実施形態の携帯端末１００は、ＣＰＵ１１０、ＲＯＭ１１１、作業用メモリ１１２、不揮発メモリ１１３、無線機送受信部１１４、ＬＥＤ部１１５、外部インタフェース部１１６、キー入力部１１７、キーバックライト１１８、表示制御部１１９、マイクロフォン１２１、スピーカ１２２、レシーバ１２３、バイブレータ１２４及び電源制御部１２５を備え、それらがバス１３０を介して互いに接続された構成である。表示制御部１１９には表示部１２０が接続され、電源制御部１２５には携帯端末１００に所要の電力を供給する主電源である二次電池（不図示）が接続され、外部インタフェース部１１６には図１に示した表示装置２００が接続される。
【００２７】
ＲＯＭ（Read Only Memory）１１１は、ＣＰＵ１１０によって各種の処理を実行するための制御用プログラムが格納された不揮発性のメモリである。ＣＰＵ１１０は、ＲＯＭ１１１に格納された制御用プログラムにしたがって処理を実行することで、例えば周知のスマートフォンとしての機能を実現すると共に、後述する本発明の設定システムが備える携帯端末１００としての機能を実現する。
【００２８】
作業用メモリ１１２は、ＣＰＵ１１０による制御用プログラムにしたがった処理で必要なデータを一時的に保持する。作業用メモリ１１２には、例えばＲＡＭ（Random Access Memory）が用いられる。
【００２９】
不揮発メモリ１１３は、電話帳データ、各種設定値、ユーザーデータ等が格納される、記憶内容が書き換え可能な不揮発性のメモリである。
【００３０】
無線機送受信部１１４は、無線通信により音声や画像等の各種データを送受信するための周知の無線回路である。
【００３１】
ＬＥＤ部１１５は、例えば異なる色で発光する複数のＬＥＤ（Light Emitting Diode）を備え、各ＬＥＤの点滅パターン等を変更することで着信や電子メールの受信等をユーザへ通知するために用いられる電子部品である。
【００３２】
外部インタフェース部１１６は、ＵＳＢやＨＤＭＩ等に対応したコネクタを備え、表示装置２００とデータの送受信が可能に接続するインタフェース回路である。外部インタフェース部１１６は、上述したように図１に示した表示装置２００と接続するための専用のインタフェース回路を備えていてもよい。
【００３３】
キー入力部１１７は、電源のＯＮ／ＯＦＦや各種設定に必要なハードウェアによる入力キー、あるいはタッチパネル等を用いてユーザが入力した、文字、数字、記号、指示等の情報を受け付ける入力回路である。
【００３４】
キーバックライト１１８は、入力キーの照光やイルミネーションを実現する発光部である。キーバックライト１１８は複数色の発光が可能である。
【００３５】
表示部１２０は、ＣＰＵ１１０から供給される画像情報や映像信号にしたがって画像を表示する、液晶ディスプレイや有機ＥＬパネル等である。表示部１２０の表示面上には、表示された画像に基づいて、文字、数字、記号等の情報を携帯端末１００に入力するためのタッチパネルが設置されていてもよい。
【００３６】
表示制御部１１９は、表示部１２０に画像や映像を表示させるための制御を行う制御回路である。
【００３７】
マイクロフォン１２１、スピーカ１２２、レシーバ１２３は、携帯端末１００を電話機として利用する際に使用される音声通話用の音響部品である。送話者の音声はマイクロフォン１２１により入力され、相手話者の音声はスピーカ１２２またはレシーバ１２３から出力される。
【００３８】
バイブレータ１２４は、音に代わって振動により携帯端末１００に対する着信や電子メールの受信等をユーザへ通知するために用いられる電子部品である。
【００３９】
電源制御部１２５は、携帯端末１００に対する二次電池（不図示）による電源供給を制御する。
【００４０】
図２（ｂ）は、図１に示した表示装置の一構成例を示すブロック図である。
【００４１】
図２（ｂ）に示すように、本実施形態の表示装置２００は、ＣＰＵ２１０、ＲＯＭ２１１、作業用メモリ２１２、不揮発メモリ２１３、外部インタフェース部２１４、キー入力部２１５、表示制御部２１６、マイクロフォン２１８、スピーカ２１９、バイブレータ２２０及び電源制御部２２１を備え、それらがバス２３０を介して互いに接続された構成である。表示制御部２１６には表示部２１７が接続され、電源制御部２２１には表示装置２００に所要の電力を供給する主電源である不図示の二次電池が接続され、外部インタフェース部２１４には、例えば図２に示した携帯端末１００が接続される。
【００４２】
ＲＯＭ２１１は、ＣＰＵ２１０によって各種の処理を実行するための制御用プログラムが格納された不揮発性のメモリである。ＣＰＵ２１０は、ＲＯＭ２１１に格納された制御用プログラムにしたがって処理を実行することで、例えばパーソナルコンピュータやテレビジョン受像機としての機能を実現すると共に、後述する本発明の設定システムが備える表示装置２００としての機能を実現する。
【００４３】
作業用メモリ２１２は、ＣＰＵ２１０による制御用プログラムにしたがった処理で必要なデータを一時的に保持する。作業用メモリ２１２には、例えばＲＡＭが用いられる。
【００４４】
不揮発メモリ２２３は、各種設定値、ユーザーデータ等が格納される、記憶内容が書き換え可能な不揮発性のメモリである。
【００４５】
外部インタフェース部２１４は、外部機器と接続するためのＵＳＢや画像や音声等を送受信するＨＤＭＩ等に対応したコネクタを備え、様々な機器との接続を可能にする。表示装置２００は、図２（ａ）に示した携帯端末１００とも外部インタフェース部２１４を介して接続される。なお、外部インタフェース部２１４には、上述したように図２に示した携帯端末１００と接続するための専用のインタフェース回路を備えていてもよい。
【００４６】
表示部２１７は、ＣＰＵ２１０から供給される画像情報や映像信号にしたがって画像を表示する、液晶ディスプレイや有機ＥＬパネル等である。表示部２１７の表示面上には、表示された画像に基づいて、文字、数字、記号等の情報を表示装置２００に入力するためのタッチパネルが設置されていてもよい。
【００４７】
表示制御部２１６は、表示部２１７に画像や映像を表示させるための制御を行う制御回路である。
【００４８】
キー入力部２１５は、電源のＯＮ／ＯＦＦや各種設定に必要なハードウェアによる入力キー、あるいはタッチパネル等を用いてユーザが入力した、文字、数字、記号、指示等の情報を受け付ける入力回路である。
【００４９】
マイクロフォン２１８は表示装置２００に音声を入力するときに用いられる音響部品である。
【００５０】
スピーカ２１９は、映像や音楽等のマルチメディア再生時に音声を出力する。
【００５１】
バイブレータ２２０は、音に代わって振動により表示装置２００の状態等をユーザへ通知するために用いられる電子部品である。
【００５２】
電源制御部２２１は、表示装置２００に対する二次電池（不図示）による電源供給を制御する。
【００５３】
図２（ｂ）は、電話機能を備えていない表示装置２００の構成例を示しているが、表示装置２００には、図２（ａ）に示した携帯端末１００と同様に無線機送受信部やレシーバを有することで、電話機能を備えていてもよい。
【００５４】
図３は、図１に示した設定システムの処理手順の一例を示すフローチャートである。図３は、携帯端末１００と表示装置２００の接続時に、携帯端末１００に設定されたキー操作ロックを表示装置２００に反映させるときの携帯端末１００の処理例を示している。
【００５５】
図３に示す設定システムの処理は、携帯端末１００が備えるＣＰＵ１０がＲＯＭ１１に格納された制御用プログラムにしたがって処理を実行し、表示装置２００が備えるＣＰＵ２１０がＲＯＭ２１１に格納された制御用プログラムにしたがって処理を実行することで実現される。
【００５６】
図３に示すように、携帯端末１００は、例えば待ち受け状態において、表示装置２００と接続されているか否かを判定する（ステップＳ１１）。
【００５７】
表示装置２００と接続されている場合、携帯端末１００は、自装置がキー操作ロックに設定されているか否かを確認する（ステップＳ１２）。キー操作ロックに設定されていない場合は処理を終了する。
【００５８】
キー操作ロックに設定されている場合、携帯端末１００は、キー操作ロックへ設定するための指示を表示装置２００へ送信する（ステップＳ１３）。表示装置２００は、携帯端末１００の指示にしたがって自装置をキー操作ロックに設定する。
【００５９】
キー操作ロック時、表示装置２００は、キー操作ロックを解除するための所定キーを除いて他の入力キーによる操作や表示部２１７上のタッチパネルを用いた入力操作等が禁止される。
【００６０】
図４（ａ）及び（ｂ）は、図１に示した設定システムの処理手順の他の例を示すフローチャートである。図４（ａ）は携帯端末１００と表示装置２００の接続時に携帯端末１００に設定されたマナーモードを表示装置２００に反映させるときの携帯端末１００の処理例を示し、図４（ｂ）は表示装置２００の処理例を示している。
【００６１】
図４（ａ）及び（ｂ）に示す設定システムの処理は、携帯端末１００が備えるＣＰＵ１０がＲＯＭ１１に格納された制御用プログラムにしたがって処理を実行し、表示装置２００が備えるＣＰＵ２１０がＲＯＭ２１１に格納された制御用プログラムにしたがって処理を実行することで実現される。
【００６２】
図４（ａ）に示すように、携帯端末１００は、例えば待ち受け状態において、表示装置２００と接続されているか否かを判定する（ステップＳ２１）。
【００６３】
表示装置２００と接続されている場合、携帯端末１００は、自装置がマナーモードに設定されているか否かを確認する（ステップＳ２２）。マナーモードに設定されていない場合は処理を終了する。
【００６４】
マナーモードに設定されている場合、携帯端末１００は、マナーモードの設定指示と共にその設定内容を表示装置２００へ送信する（ステップＳ２３）。表示装置２００は、携帯端末１００の設定指示にしたがって自装置をマナーモードに設定する。
【００６５】
図４（ｂ）に示すように、表示装置２００は、携帯端末１００からの設定指示を受信したか否かを判定し（ステップＳ２４）、マナーモードへの設定指示を受信すると、同時に通知された設定内容にしたがって、まずスピーカ２１９を消音に設定する（ステップＳ２５）。
【００６６】
マナーモード時、携帯端末１００では、小さい音でも検出できるように、マイクロフォン１２１の利得を高く設定することがある。ここでは、表示装置２００も、携帯端末１００から通知された設定内容にしたがってマイクロフォン２１８の利得を高く設定する（ステップＳ２６）。このとき、携帯端末１００は自装置のマイクロフォン１２１をＯＦＦに設定してもよい。
【００６７】
また、表示装置２００は、携帯端末１００から通知された設定内容に基づき、バイブレータ２２０を使用するか否かを決定する（ステップＳ２７）。バイブレータ２２０を使用する場合、表示装置２００は、自装置のバイブレータ２２０をＯＮ（振動可能な状態）に設定する（ステップＳ２８）。このとき、携帯端末１００は自装置のバイブレータ１２４をＯＦＦ（振動不可の状態）に設定してもよい。携帯端末１００のバイブレータ１２４は、マナーモードに設定されているか否かにかかわらず常にＯＦＦに設定してもよい。バイブレータ２２０を使用しない場合、表示装置２００は自装置の設定内容を変更しない。
【００６８】
なお、表示装置２００にバイブレータ２２０が搭載されていない場合（あるいは搭載されていても振動音が大きくなるために使用しない場合）、表示装置２００は、携帯端末１００に対する着信時、該携帯端末１００から該着信の発生を示すデータが送信されると、例えば表示部２１７に着信またはバイブレータの動作を示す予め決められた画像を表示することで、携帯端末１００に対する着信等をユーザへ通知してもよい。
【００６９】
本実施形態の設定システムでは、同一の携帯端末１００を、設定内容が異なる表示装置２００（バイブレータ２２０の有無等）と接続する場合でも、各表示装置２００が、自装置の構成や設定可能な項目に応じてユーザに対する通知方法やユーザによる操作方法等を選択すればよい。そのため、本実施形態の携帯端末１００は、接続可能な表示装置２００に対応する複数の設定データやプログラム等を用意する必要がない。
【００７０】
表示装置２００がマナーモードに設定された後、携帯端末１００に着信があると、表示装置２００がマナーモードＯＦＦ時にスピーカ２１９から着信音の再生が可能な構成の場合、携帯端末１００は着信音等の音声データを表示装置２００に送信する。ここでは、表示装置２００がマナーモードに設定されているため、表示装置２００は該音声データを再生しない。例えば表示装置２００からの通知等により、該表示装置２００がマナーモードに設定されていることを確認している場合、携帯端末１００は、着信音等の音声データを表示装置２００に送信しなくてもよい。
【００７１】
図３及び図４に示した例では、携帯端末１００の設定内容を表示装置２００に反映させる例を示したが、表示装置２００の設定内容を携帯端末１００に反映させてもよい。表示装置２００または携帯端末１００のどちらの設定内容を優先するかは、予め設定しておけばよい。
【００７２】
例えば、図４に示した例では、携帯端末１００に設定されたマナーモードを表示装置２００に反映させる例を示しているが、表示装置２００の設定内容を優先する場合、表示装置２００がマナーモードに設定されないことがある。その場合、携帯端末１００に対する着信時に表示装置２００をマナーモード時と同等に動作させればよい。
【００７３】
例えば、携帯端末１００に対する着信時、携帯端末１００がバイブレータ２２０を振動させるための指示のみを表示装置２００に送信し、着信音等の音声データを送信しなければよい。着信音等の音声データを送信する場合でも、該音声データに再生不可を指示する命令を添付することで、表示装置２００に着信音を再生させない方法も考えられる。
【００７４】
また、図３及び図４に示した例では、携帯端末１００と表示装置２００の接続時に、携帯端末１００から表示装置２００へキー操作ロックやマナーモード等の設定を指示する例を示しているが、表示装置２００が携帯端末１００の接続を検出したとき、携帯端末１００へ設定内容を問い合わせ、該問い合わせに対して携帯端末１００が設定データを返信することで、携帯端末１００の設定内容を表示装置２００に反映させてもよい。
【００７５】
なお、表示装置２００には、図１に示したようにケーブル等を用いて携帯端末１００と接続する構成だけでなく、例えば図５に示すタブレット端末のように収納部を備え、該収納部内に携帯端末１００を固定・収納することで、該携帯端末１００との接続を可能にするインタフェースを備えた構成もある。本発明はこのような携帯端末１００を挿抜可能に収納する構造の表示装置２００を有するシステムに適用しても同様の効果を得ることができる。
【００７６】
本実施形態の設定システムによれば、携帯端末１００と表示装置２００との接続時、携帯端末１００が、例えばキー操作ロック等のセキュリティ機能、あるいはマナーモード等の周囲環境に配慮して設定する機能等に設定されていた場合に、表示装置２００にこれらの設定内容が反映されるため、ユーザは同様の設定操作を表示装置２００に実施する必要がない。そのため、ユーザによる煩雑な設定操作が低減してユーザビリティが向上する。
【符号の説明】
【００７７】
１００    携帯端末
１１０、２１０    ＣＰＵ
１１１、２１１    ＲＯＭ
１１２、２１２    作業用メモリ
１１３、２１３    不揮発メモリ
１１４    無線機送受信部
１１５    ＬＥＤ部
１１６、２１４    外部インタフェース部
１１７、２１５    キー入力部
１１８    キーバックライト
１１９、２１６    表示制御部
１２０、２１７    表示部
１２１、２１８    マイクロフォン
１２２、２１９    スピーカ
１２３    レシーバ
１２４、２２０    バイブレータ
１２５、２２１    電源制御部
１３０、２３０    バス
２００    表示装置
【図１】
0005831935.tif 000002
【図２（ａ）】
0005831935.tif 000003
【図２（ｂ）】
0005831935.tif 000004
【図３】
0005831935.tif 000005
【図４（ａ）】
0005831935.tif 000006
【図４（ｂ）】
0005831935.tif 000007
【図５】
0005831935.tif 000008